(57)【要約】本発明は、スーパーマーケットの在庫等の物品を効果的且つ明確に陳列させ、買い物客が棚上の物品を取り出した際に、所望の位置に物品を位置させる前出し配置に関する。本発明の一形態において、１つ以上の物品を支持面を横切って整列させて引き出す装置を備えている。この装置は、支持面を横切って物品を引き出すための容器を備え、前記容器は、物品を整列させるための領域を形成して有しており、前記領域は、相対する１対の側壁と相対する１対の端壁との間に位置付けられる。また、本発明の装置は、支持面の縁部に隣接するように固定された端部エレメントと、前記端部エレメントから間隔をあけて商品を維持するように構成され、前記容器の端壁を収容するための領域が形成されたスペーサエレメントとを備える。【選択図】  １ｂ
2014501146.tif 000002
【特許請求の範囲】
【請求項１】
支持面を横切って１つ以上の物品を整列させて引き出すための装置であり、
前記物品を整列させるために、相対する一対の側壁と相対する一対の端壁との間に形成され前記物品を整列する領域を形成して前記支持面を横切って前記物品を引き出す容器と、
前記支持面の縁部に隣接して固定された端部エレメントと、
商品を端部エレメントから離れた位置に維持させ、前記容器の端壁を収容する領域を形成するような形状を有するスペーサエレメントと
を備えている物品前出し装置。
【請求項２】
前記スペーサエレメントは、前記端部エレメントに固定されて取り付けられている請求項１に記載の装置。
【請求項３】
前記端部エレメントは、長手方向の長さを有し、前記スペーサエレメントは、前記端部エレメントの長手方向の長さにほぼ直角に延びる突出部材を含んでいる請求項２に記載の装置。
【請求項４】
前記突出部材は、前記容器の端壁を収容する表面を備えている請求項３に記載の装置。
【請求項５】
前記突出部は、使用時に、前記支持面を横切って突出している請求項４に記載の装置。
【請求項６】
前記突出部は、前記容器の端壁を受け入れる溝を形成している請求項４又は５に記載の装置。
【請求項７】
前記溝は、リップ部と前記端部エレメントの長手方向の長さとの間に設けられている請求項６に記載の装置。
【請求項８】
前記リップ部は、前記端部エレメントの長手方向の長さにほぼ平行に延びている請求項７に記載の装置。
【請求項９】
前記リップ部は、実質的に連続している請求項８に記載の装置。
【請求項１０】
前記端部エレメントを前記支持面に固定する手段を備えている請求項１乃至９のいずれかの請求項に記載の装置。
【請求項１１】
前記端部エレメントを前記支持面に固定する手段は、１つ以上の変形可能なリブ部から成っている請求項１０に記載の装置。
【請求項１２】
前記容器は、第1及び第２の相対する側壁を備え、前記第１又は第２の側壁の少なくとも一方は、側壁に固定された端壁部を含み、前記端壁部は、前記対向する側壁に固定された保持エレメントによって受けられ、前記容器の相対する側壁の間のスパンの調整を可能にするために、前記端壁部は、前記保持エレメントに対して可動である請求項１乃至１２のいずれかの請求項に記載の装置。
【請求項１３】
前記容器は、前記相対する端壁の両方に受けエレメントを備えている請求項１２に記載の装置。
【請求項１４】
前記受けエレメントは、前記端壁部分を受け入れて、前記受けエレメントと前記端壁部と間を可動的に嵌合することができる溝を含んでいる請求項１２又は１３に記載の装置。
【請求項１５】
少なくとも一方の側壁は、前記受けエレメントに対して固定されている請求項１２乃至１４のいずれかに記載の装置。
【請求項１６】
前記側壁は、実質的に平行であって、前記側壁に対して直角に延びる複数の端壁部を備え、前記端壁部の各々は、前記受けエレメントによって受けられていることを特徴とする請求項１２乃至１５のいずれかに記載の装置。
【請求項１７】
前記側壁部の一方は、前記受けエレメントに対して固定されている請求項１６に記載の装置。
【請求項１８】
前記受けエレメントは、前記可動の端壁部が前記受けエレメントから外れることがないように配置された保持部材を含んでいる請求項１２乃至１７のいずれかに記載の装置。
【請求項１９】
前記側壁は、前記側壁と前記端壁との交差部に隣接して切欠き部を備えている請求項１２乃至１８のいずれかに記載の装置。
【請求項２０】
前記側壁は、変化する高さを有する請求項１２乃至１９のいずれかに記載の装置。
【請求項２１】
少なくとも一方の前記側壁は、前記側壁と前記端壁との間の交差部に向かって先細になっている前記請求項１２乃至２０のいずれかに記載の装置。
【請求項２２】
前記容器の各端部は、受けエレメントを含んでいる請求項１２乃至２１のいずれかに記載の装置。
【請求項２３】
物品を整列させる領域を形成する支持面を横切って物品を引出し、前記領域は、相対する一対の側壁間によって決定される幅と相対する一対の端壁によって決定する長手方向の長さとを有する容器であって、少なくとも１つの端壁は、側壁に固定され、且つ相対する側壁に固定された補足的な保持エレメントによって受けられている端壁部分を有し、前記端壁部分は、前記保持エレメントに対して可動であって前記容器の幅を調整できるようにした容器。
【請求項２４】
棚の縁に隣接して固定するための端部エレメントと、前記端部エレメントから間隔をあけて商品を維持するように構成されて、容器の端壁を収容する領域を形成するスペーサエレメント。
【発明の詳細な説明】
【技術分野】
【０００１】
本発明は、スーパーマーケットにおける在庫品（品物）の如き目的物を効果的且つ明確に陳列することができ、買い物客が在庫品を取り出す際に所要の通り在庫品を配置することができるようにした前出し装置に関するものである。
【背景技術】
【０００２】
小売店において棚の如き支持構造体に商品を陳列することは、商品の販売や小売店の全体としての見栄えに著しい効果を有するため重要である。ボトルの如き在庫品は、スペースを残した状態で棚から取り出され、スーパーマーケットは、周期的に、在庫品を棚の前面に引き出して商品を前面に出す「前出し」作業を行う。この作業は、１日に少なくとも２回行われ、最初は、夜間であることが多い商品補充終了時に向けて行われ、次いで、午後に１回行われる。棚の奥行きが深い場合や、高さがある場合や、棚から落ちて損害を受けやすい高価な品物の場合、前出し作業は困難となる。もし、在庫品が棚の前面に引き出されていない場合は、消費者が商品を見つけることができないし、店の陳列方法が劣っているとして店の質に疑問を抱くだろう。例えばワインボトルは、ケース毎ではなく個々のボトルの状態で陳列される。様々な商品は、陳列用を兼ねた段ボールに入れられたまま一度に棚に並べられることがあるが、ワインのボトルは重く、高価な商品のため、陳列用段ボールに入れたまま陳列するのは見栄えが悪いので、段ボールに入れられたまま一度に棚に陳列するのには適していない。ワインボトルで生ずる更なる問題は、商品が棚の奥で広がって棚の前部に沢山の商品が押し出される際に、商品が混ざりやすい傾向があることである。この問題によって在庫品の数が数えにくくなる。小売店では、特に高価な商品の在庫品の数を定期的に数えるが、これは、在庫の数を数えるために、棚上の商品を整列させるのに多くの時間を費やすことになる。
【０００３】
上記の問題を解決するために、種々の形式の装置が提案されてきたが、それらは、ワインボトル製品専用のものではなかった。プッシュ式システムの如きシステムが設計されてきたが、これらの装置は、棚の前方にボトルを維持するのにはうまく機能するが、補充するのには約３倍もの時間がかかり、ワインを見て回りたい客や、ボトルを元の位置に戻したい客を苛立たせることになる欠点があった。この場合、ボトルを戻すスペースがなくなり、更にこのような装置は高価で、不具合が起きやすい可動部を有する。
【０００４】
別の配置がカナダ特許第１０４６０１４号に開示されている。これは、長方形の容器に形成され商品受入れ用の多数の溝形材（チャンネル）から成る装置を開示している。レール１２を有しストッパー６を介して突出するハンドルは、小売店従業員によって引っ張られると、ロール１５が後部直列物品に接触し、従って、物品は前に引き出され、レール１２に接触して、物品が棚の前面に出る。ロール１５は、バネ入りの構成要素に抗して自己跳ね返りする。
【発明の開示】
【発明が解決しようとする課題】
【０００５】
このような装置には幾つかの欠点がある。
【課題を解決するための手段】
【０００６】
本発明の一つの態様によると、支持面を横切って１つ以上の物品を整列させて引き出すための装置（キット又は道具一式）であり、前記装置は、物品を整列させるために、相対する一対の側壁と相対する一対の端壁との間に前記物品を整列する領域を形成して前記支持面を横切って前記物品を引き出す容器と、
前記支持面の縁部に隣接して固定された端部エレメントと、
商品を端部エレメントから間隔をあけて維持させ、前記容器の端壁を収容する領域を形成するような形状を有するスペーサエレメントと
を備えている。
【発明の効果】
【０００７】
本発明に関連した顕著な利点がある。スペーサエレメントは、表面を横切って引き出される商品又は物品（典型的にはボトル）が、立上り部と称することができる端部エレメントから間隔をあけるのを確実にし、従って容器の端壁が収容される領域又はスペースが設けられる。容器の端壁は、その正確な形状に基づいて、スペーサエレメントや端部エレメントと実際に物理的に連通してもよいし、連通していなくともよいことが理解される。
【０００８】
スペーサエレメントは、端部エレメントに固定的に取り付けられて一体化しているのが有利である。このことは、端部エレメント、即ち立上り部がポリマー材料の一回の連続押し出しによって形成されることを意味している。
【０００９】
端部エレメントは、長手方向の長さを有するのが有利であり、スペーサエレメントは、通常、端部エレメントの長手方向の長さにほぼ垂直に延びる突出部材を含んでいるのが有利である。この突出部材は、支持面上の物品や商品が超えることができないところに接触縁を有する。突出部材は、容器の端壁を収容する面を有するのが好ましい。端部エレメントが典型的には支持部の縁に位置する場合、この突出部材は、使用時に支持面を横切って突出するのが有利である。この突出部材は、容器の端壁を受け入れる溝を形成するのが好ましい。従って、この溝は、リップ部と端部エレメントの長手方向の長さとによって形成され、従って、容器の端壁又は容器の端壁の一部が一旦その中に配置されると、容器は、端部エレメントの長手方向の長さに対し垂直に偶発的に動くことができない。
【００１０】
リップ部は、端部エレメントの長手方向の長さに実質的に平行に延びるのが好ましい。このリップ部は連続していることが望ましい。
【００１１】
支持体に端部エレメントを固定する装置を更に備えているのが好ましく、この支持体に端部エレメントを固定する装置は、１つ以上の変形可能なリブ部から成っているのが有利であり、このリブ部は、スーパーマーケットで見られるような典型的な棚の縁に設けられた溝形材（チャンネル）内に配置される。この溝を形成する外壁は、一般的には、外壁から延び、棚上の商品に関する情報を買い物客に知らせるインデックスを受け入れるための更なる突出部を有している。
【００１２】
容器は、第１と第２の相対する側壁を備えているのが好ましく、第１又は第２の端壁の少なくとも一方は、側壁に固定された端壁部分を含み、この端壁部分は、反対側の側壁に固定された保持エレメントに受け入れられ、この端壁部分は、容器の相対する側壁の間のスパンを調節できるように、保持エレメントに対して可動である。
【００１３】
異なる直径を有する物品、好ましくは、ボトルの前出しを可能にするために、容器の幅を調節することができるのが有利である。
【００１４】
容器は、相対する端壁の両方に受けエレメントを備えていることが望ましい。従って、容器の相対する側壁の間のスパンは、容器の長手方向の全長を維持することができ、それ故に、幅は、実質的に一定のままである。従って、側壁は平行のままである。
【００１５】
受けエレメントは、端壁部分を受け入れてそれらの間で可動な状態で係合できる溝を含むのが望ましい。少なくとも１つの側壁は、受けエレメントに対して固定されているのが有利である。従って、一方の側壁は、反対側の側壁と受けエレメントとに対して可動である。しかし、側壁の両方とも、受けエレメントに対して可動であってもよいことは理解される。
【００１６】
二つの側壁は、実質的に平行であり、側壁に対して直角に延びる端壁部分を備え、各端壁部分は、受けエレメントによって受けられている。一方の端壁部分は、受けエレメントに対して固定されていることが望ましい。この受けエレメントは、可動な端壁部分が受けエレメントから離れるのを防止するようにした保持部材を含んでもよい。保持部材は、相対する側壁間の最大スパンを越えることができないように設けられるのが望ましい。
【００１７】
側壁は、側壁と端壁との間の交差部に隣接する切欠き部を備えることが望ましい。この切欠き部は、端壁がスペーサエレメントによって形成された領域内に入り込むのを可能にするのに役立つ。
【００１８】
側壁は、その高さを変更できることが望ましい。少なくとも一方の側壁は、側壁と端壁との間の交差部に向かって先細（テーパ）となっているのが望ましい。
【００１９】
容器のそれぞれの端部は、受けエレメントを含むことが望ましい。
【００２０】
本発明の他の様態によると、物品を整列させる領域を形成する支持面を横切って物品を引出し、前記領域は、相対する一対の側壁間によって決定される幅と相対する一対の端壁によって決定する長手方向の長さとを有する容器であって、少なくとも１つの端壁は、側壁に固定され、且つ相対する側壁に固定された補足的な保持エレメントによって受けられている端壁部分を有し、前記端壁部分は、前記保持エレメントに対して可動であって前記容器の幅を調整できるようにした容器が提供される。
【００２１】
本発明の更に他の様態によると、棚の縁部に隣接するように固定された端部エレメントと、この端部エレメントから離れて商品を維持させるようにし、且つ容器の端壁を収容する領域を有するようにしたスペーサエレメントとがある。
【００２２】
買い物客への表示や情報は、容器の端壁を収容する領域に対して端部エレメントの反対側に備えていてもよい。
【図面の簡単な説明】
【００２３】
以下の添付図面を参照して例示的にのみ本発明を説明する。
【図１ａ】図１ａは、本発明の典型的な実施例による端部エレメント又は立ち上がり部の後方概略斜視図である。
【図１ｂ】図１ｂは、棚の縁に設けられた溝内に配置される本発明の典型的な実施例による端部エレメント又は立上り部の後方概略図である。
【図２ａ】図２ａは、商品を「前出しする」その後の工程を経て、格納された状態にある本発明の典型的な実施例による端部エレメント又は立上り部及び容器の概略側面図である。
【図２ｂ】図２ｂは、商品を「前出しする」その後の工程を経て、格納された状態にある本発明の典型的な実施例による端部エレメント又は立上り部及び容器の概略側面図である。
【図２ｃ】図２ｃは、商品を「前出しする」その後の工程を経て、格納された状態にある本発明の典型的な実施例による端部エレメント又は立上り部及び容器の概略側面図である。
【図２ｄ】図２ｄは、商品を「前出しする」その後の工程を経て、格納された状態にある本発明の典型的な実施例による端部エレメント又は立上り部及び容器の概略側面図である。
【図２ｅ】図２ｅは、商品を「前出しする」その後の工程を経て、格納された状態にある本発明の典型的な実施例による端部エレメント又は立上り部及び容器の概略側面図である。
【図３ａ】図３ａは、前出しされる前には満杯である棚上の物品列で行われる「前出し」作業を示している。
【図３ｂ】図３ｂは、前出しされる前には満杯である棚上の物品列で行われる「前出し」作業を示している。
【図３ｃ】図３ｃは、前出しされる前には満杯である棚上の物品列で行われる「前出し」作業を示している。
【図３ｄ】図３ｄは、前出しされる前には満杯である棚上の物品列で行われる「前出し」作業を示している。
【図３ｅ】図３ｅは、前出しされる前には満杯である棚上の物品列で行われる「前出し」作業を示している。
【図４ａ】図４ａは、端部エレメント又は立上り部に対して格納状態で位置された容器の端壁の概略図である。
【図４ｂ】図４ｂは、端部エレメント又は立上り部に対して格納状態で位置された容器の端壁の概略図である。
【図４ｃ】図４ｃは、端部エレメント又は立上り部に対して格納状態で位置された容器の端壁の概略図である。
【図５ａ】図５ａは、容器の幅が狭くなるまで減少した場合の容器の端壁の調節機能の概略図である。
【図５ｂ】図５ｂは、容器の幅が狭くなるまで減少した場合の容器の端壁の調節機能の概略図である。
【図５ｃ】図５ｃは、容器の幅が狭くなるまで減少した場合の容器の端壁の調節機能の概略図である。
【図５ｄ】図５ｄは、容器の幅が狭くなるまで減少した場合の容器の端壁の調節機能の概略図である。
【図６】図６は、本発明の典型的な実施例による容器の概略斜視図である。
【発明を実施するための形態】
【００２４】
図１ａを参照すると、は、本発明の一形態による立上り部１の概略後方側面図が示され、また図１ｂには、商品が陳列される棚の縁に溝形材（チャンネル）が見えるように配置される立上り部の後方側面の概略斜視図が示されている。棚の縁の外形は、溝形材２と表面４を示し、表面４は、溝形材２の縁を形成する縁の上端から傾斜しており、この表面上には、棚上の商品を示す情報が挿入される透明なプラスチック部材６が設けられている。
【００２５】
立上り部１は、直立部８と、溝形材２内に固定するための固定部１０を備えている。図示の実施の形態では、立上り部１は、押出しポリマー材から作られ、固定部１０は、複数のリブ１２を備え、これらのリブ１２は、立上り部１の長手方向の長さに延びることが好ましく、溝形材２にぴったりと摩擦嵌合できるよう弾性的に変形可能となっている。図示の典型的な形態では、立上り部１は、立上り部１の長手方向の長さにほぼ直角に延びる突出部１４を更に備えている。突出部１４の第１の機能は、立上り部１の直立部と突出部の前方縁部１６との間にスペースエレメントを設けることである。従って、立上り部の直立部と突出部１４の前方縁部とによって形成された領域１５が設けられ、この領域は、容器の一部または縁部（後述する）を収容する。図１ａにおいて領域１５は、点線で表されている。図１ｂで示されている使用時には、棚に保管されるワインボトルの如き物品は、突出部１４の前方縁部１６を越えて延びることはできないことが明らかである。これは、ボトルが棚から落ちることができないことを意味し、また容器の端縁を受け入れる領域が設けられていることをも意味する。また、立上り部１と同じ長手方向の長さで上方に延びるリップ部２０が設けられているのが好ましく、このリップ部２０は、立上り部１から離れる方向に容器が不本意に移動するのを防ぐように容器の端縁を保持する。従って、溝２２が立上り部１の直立部とリップ部２０との間に形成される。
【００２６】
図２ａ乃至２ｅを参照すると、棚３が示され、立ち上り部１は、棚３の一部として形成される溝形材（チャンネル）２４内に固定されて設けられている。容器２８の端壁の縁２６は、リップ部２０と立上り部１の直立部との間の溝２２に着座しているのが解る。図２ａは、格納状態を示し、これは、棚３と立上り部１に対する容器２８の通常の状態である。物品が棚３から取り除かれると、店員は、容器の前端縁３０を掴み、図２ｂに示す位置まで容器を移動する。この位置は、中間の位置であって、この位置では容器２８の前端が持ち上げられる。次いで、すべてのボトルが整列されて前列のボトルが突出部１４の前縁１６に衝合する位置に達するまで、後方の端縁部３２で加えられる力によって、ボトルは、棚の表面を横切って引かれる（図２ｃ参照）。容器２８は、その後押し戻され（図２ｄ参照）、格納状態に戻される（図２ｅ参照）。
【００２７】
図３ａ乃至３ｅは、複数のボトルと容器とが棚上にある状態で、図２ａ乃至２ｅと同様の工程を斜視図で示している。
【００２８】
図４ａ乃至４ｃは、容器２８の端壁が格納状態で立上り部に隣接して位置決めされた３つの図を示している。容器２８の端壁は、容器２８の側壁３４を受ける受けエレメント３２を備えているのが好ましい。格納状態では、立上り部１の受けエレメント３２は、溝２２内に配置され、受けエレメント３２の頂部は、立上り部の直立部の頂部と実質的に面一となっている。切欠き部３６は、側壁３４の端部に隣接する位置から切り欠かれてリップ部２０に適合するようにしている。従って、格納状態では、容器は、立上り部１の長手方向にのみ動くことができるが、ボトルが容器に位置し、且つ隣接する多数の容器が相互に相対位置を維持しているため、この動作方向は、重要ではない。使用時に、受けエレメント３２を掴んで持ち上げられると、ボトルは、棚の前方に引かれ、その後この受けエレメントは、後退して溝２２内に戻すことができる。
【００２９】
図５ａ乃至５ｄを参照すると、幅が調節可能な本発明の一形態による容器の典型的な実施例が示されている。これは、異なる直径のボトルを、最小限の棚スペースを利用し、且つボトルの整列を確実にして可調節容器に嵌め込むことができるという大きな利点を有する。この容器は、側壁３４と受けエレメント３２を含む端壁とから成っている。第１の側壁３４ａは、この側壁３４ａにほぼ直角に延びる部分３８に一体に形成されている。この部分３８は、保持具４０を介して受けエレメント３に固定されている。反対側の第２の側壁３４ｂも、この第２の側壁３４ｂに一体にして固定された状態で形成された部分４２を備えている。しかし、この第２の部分４２は、受けエレメント３２に対して移動することができる。図５ａは、壁部分４２が容器の最大幅を有する最大に延びた状態にあるのを示している。この状態では、保持具４４によって壁部分４２が保持エレメントから抜けるのが防止されるが、保持具４４は、不本意な抜けを防止するために相応する孔４４ａ内に着座している。図５ｂ乃至５ｄは、第２の側壁部４２が受けエレメント３２に更に入り込んで容器の幅が減少しているのを示す。
【００３０】
従って、容器の相対幅は、直径が異なるボトルを所要の通り収容するように変更することができることが理解される。第２の側壁部４２と保持エレメント３２とが摩擦嵌合され、第２の側壁部４２は、第１の側壁部３８の長手方向の長さと平行に、保持エレメント３２に設けられた溝に沿って滑ることができる。
【００３１】
図６を参照すると、本発明の一形態の典型的な実施例による容器を斜視図で示し、この容器は、幅が調整可能である。容器２８は、対称的であり、従って各端部に受けエレメント３２が設けられている。各側壁は、一端に第１の側壁部３８を有し、他端に第２の側壁部４２を有する。これは、容器が棚の前方でも後方でもいずれかの端部で使用できることを意味し、容器の使用を悪化させることなく、容器を上下逆に使用することができる。
【００３２】
側壁３４ａ及び３４ｂは、それらの端部又は第１の側壁部３８又は第２の側壁部４２との交差部に向かって深さと高さが減少する輪郭を有する。側壁の深さや高さが減少すると、容器が棚の表面に着座する際に、側壁３４ａ、３４ｂの一部が棚の表面に接触しないことを意味する。これは、ボトルを前出しするために受けエレメント３２を持ち上げて引く際に、棚の表面に接触するのは、側壁３４ａ、３４ｂではなく、受けエレメント３２であることを意味するので重要である。
【００３３】
本発明は、例示的にのみ述べたが、添付の請求項によって付与される保護の範囲から逸脱することなく、種々の変更や改良が可能であることは当業者に理解されることと思う。
【図１ａ】
2014501146.tif 000003
【図１ｂ】
2014501146.tif 000004
【図２ａ】
2014501146.tif 000005
【図２ｂ】
2014501146.tif 000006
【図２ｃ】
2014501146.tif 000007
【図２ｄ】
2014501146.tif 000008
【図２ｅ】
2014501146.tif 000009
【図３ａ】
2014501146.tif 000010
【図３ｂ】
2014501146.tif 000011
【図３ｃ】
2014501146.tif 000012
【図３ｄ】
2014501146.tif 000013
【図３ｅ】
2014501146.tif 000014
【図４ａ】
2014501146.tif 000015
【図４ｂ】
2014501146.tif 000016
【図４ｃ】
2014501146.tif 000017
【図５ａ】
2014501146.tif 000018
【図５ｂ】
2014501146.tif 000019
【図５ｃ】
2014501146.tif 000020
【図５ｄ】
2014501146.tif 000021
【図６】
2014501146.tif 000022
【国際調査報告】
2014501146.tif 000023
2014501146.tif 000024
2014501146.tif 000025
2014501146.tif 000026